(57)【要約】【課題】  効率の良い画像圧縮と、当該画像圧縮による画質劣化の防止とを両立できる画像処理装置及び画像処理プログラムを提供する。【解決手段】  入力された画像データを、画像分離部１６４によって文字領域と非文字領域とに分離する。画像分離部１６４による分離前に文字領域に属する画素データが存在していた部分を、データ置換部１６５が、当該文字領域に属する画素データ以外であって、この文字領域に属する画素データに最も近い位置の画素データに置き換え、このデータ置換が行われた非文字領域の画像データと、画像分離部１６４によって分離された文字領域の画像データとに対して、画像圧縮部１６６が各領域別に異なる画像圧縮処理を施すようにする。【選択図】      図３
2006019957.tif 000002
【特許請求の範囲】
【請求項１】
入力された画像データを文字領域と非文字領域とに分離する画像分離手段と、
前記画像分離手段によって分離された非文字領域の画像データを構成する画素データのうち、前記画像分離手段による分離前に前記文字領域に属する画素データが存在していた部分を、当該文字領域に属する画素データ以外であって、この文字領域に属する画素データに最も近い位置の画素データに置き換えるデータ置換手段と、
前記画像分離手段によって分離された文字領域の画像データと、前記データ置換手段によるデータ置換が行われた非文字領域の画像データとに対して、各領域別に異なる画像圧縮処理を施す画像圧縮手段と
を備えた画像処理装置。
【請求項２】
入力された画像データを網点領域と非網点領域とに識別する画像識別手段と、
前記画像識別手段によって識別された網点領域及び非網点領域に対して各領域別に異なる平滑化処理を施すものであって、前記網点領域に対しては前記非網点領域よりも強い平滑化処理を行う平滑化処理手段と
を備えた請求項１に記載の画像処理装置。
【請求項３】
前記画像圧縮手段による前記文字領域の画像データに対する画像圧縮処理は、可逆方式である請求項１又は請求項２に記載の画像処理装置。
【請求項４】
前記画像圧縮手段による前記非文字領域の画像データに対する画像圧縮処理は、非可逆方式である請求項１乃至請求項３のいずれかに記載の画像処理装置。
【請求項５】
入力された画像データを文字領域と非文字領域とに分離する画像分離手段と、
前記画像分離手段によって分離された非文字領域の画像データを構成する画素データのうち、前記画像分離手段による分離前に前記文字領域に属する画素データが存在していた部分を、当該文字領域に属する画素データ以外であって、この文字領域に属する画素データに最も近い位置の画素データに置き換えるデータ置換手段と、
前記画像分離手段によって分離された文字領域の画像データと、前記データ置換手段によるデータ置換が行われた非文字領域の画像データとに対して、各領域別に異なる画像圧縮処理を施す画像圧縮手段として、
コンピュータを機能させる画像処理プログラム。
【発明の詳細な説明】
【技術分野】
【０００１】
本発明は、画像処理装置及び画像処理プログラムに関し、特に、画像データ量を低減させる画像データ圧縮技術に関する。
【背景技術】
【０００２】
従来から、画像形成装置等において、スキャナ機能によって読み取った画像のデータを保存する場合、記憶装置の記憶領域を有効に使用するために、画像データを圧縮してから保存することが行われている。この画像圧縮処理を効率よく行うための画像圧縮装置として、例えば、特許文献１に示されるものが提案されている。この画像圧縮装置は、スキャナで読み取った画像のデータを複数の画像領域に分離し、圧縮による画像劣化が激しいと想定される文字領域等に対して圧縮を行う場合には、他の領域よりも低圧縮率で圧縮処理を施すようにしたものである。
【特許文献１】特開２００１−１８６３５６号公報
【発明の開示】
【発明が解決しようとする課題】
【０００３】
しかしながら、上記の様にして、文字領域等以外の領域に対して画像圧縮処理を行う場合には、次のような問題がある。すなわち、画像データを、文字領域と、それ以外の領域（以下、非文字領域という）とに分離し、この非文字領域から文字領域部分の画素データを切り出して除去した後に画像圧縮処理を行うとき、文字領域の画素データが除去された部分と他の部分との濃度差が大きいと、効率の良い画像圧縮を行うことができず、また、ノイズ等が発生する要因となり、画像品質の低下を招くことがある。
【０００４】
本発明は、上記の問題を解決するためになされたもので、効率の良い画像圧縮と、当該画像圧縮による画質劣化の防止とを両立できる画像処理装置及び画像処理プログラムを提供することを目的とするものである。
【課題を解決するための手段】
【０００５】
本発明の請求項１に記載の発明は、入力された画像データを文字領域と非文字領域とに分離する画像分離手段と、
前記画像分離手段によって分離された非文字領域の画像データを構成する画素データのうち、前記画像分離手段による分離前に前記文字領域に属する画素データが存在していた部分を、当該文字領域に属する画素データ以外であって、この文字領域に属する画素データに最も近い位置の画素データに置き換えるデータ置換手段と、
前記画像分離手段によって分離された文字領域の画像データと、前記データ置換手段によるデータ置換が行われた非文字領域の画像データとに対して、各領域別に異なる画像圧縮処理を施す画像圧縮手段と
を備えた画像処理装置である。
【０００６】
また、請求項５に記載の発明は、入力された画像データを文字領域と非文字領域とに分離する画像分離手段と、
前記画像分離手段によって分離された非文字領域の画像データを構成する画素データのうち、前記画像分離手段による分離前に前記文字領域に属する画素データが存在していた部分を、当該文字領域に属する画素データ以外であって、この文字領域に属する画素データに最も近い位置の画素データに置き換えるデータ置換手段と、
前記画像分離手段によって分離された文字領域の画像データと、前記データ置換手段によるデータ置換が行われた非文字領域の画像データとに対して、各領域別に異なる画像圧縮処理を施す画像圧縮手段として、
コンピュータを機能させる画像処理プログラムである。
【０００７】
これらの構成では、入力された画像データを、画像分離手段によって文字領域と非文字領域とに分離し、この非文字領域の画像データのうち、画像分離手段による分離前に文字領域に属する画素データが存在していた部分を、データ置換手段が、当該文字領域に属する画素データ以外であって、この文字領域に属する画素データに最も近い位置の画素データに置き換え、このデータ置換が行われた非文字領域の画像データと、画像分離手段によって分離された文字領域の画像データとに対して、画像圧縮手段が各領域別に異なる画像圧縮処理を施すようになっている。
【０００８】
また、請求項２に記載の発明は、請求項１に記載の画像処理装置であって、入力された画像データを網点領域と非網点領域とに識別する画像識別手段と、
前記画像識別手段によって識別された網点領域及び非網点領域に対して各領域別に異なる平滑化処理を施すものであって、前記網点領域に対しては前記非網点領域よりも強い平滑化処理を行う平滑化処理手段と
を備えたものである。
【０００９】
この構成は、入力された画像データを、画像識別手段によって、網点領域と非網点領域とに識別し、平滑化処理手段が、網点領域に対しては非網点領域よりも強い平滑化処理を行うようにしたものである。
【００１０】
また、請求項３に記載の発明は、請求項１又は請求項２に記載の画像処理装置であって、前記画像圧縮手段による前記文字領域の画像データに対する画像圧縮処理を可逆方式としたものである。
【００１１】
この構成によれば、画像圧縮手段による文字領域の画像データに対する画像圧縮処理を可逆方式としたので、文字領域を画像圧縮した時に画質を維持することができる。
【００１２】
また、請求項４に記載の発明は、請求項１乃至請求項３のいずれかに記載の画像処理装置であって、前記画像圧縮手段による前記非文字領域の画像データに対する画像圧縮処理を非可逆方式としたものである。
【００１３】
この構成によれば、画像圧縮手段による非文字領域の画像データに対する画像圧縮処理を非可逆方式としたので、非文字領域を比較的高い圧縮率で画像圧縮でき、画像データ量を効果的に低減させることができる。
【発明の効果】
【００１４】
請求項１及び請求項５に記載の発明によれば、非文字領域の画像データのうち、画像分離手段による分離前に文字領域に属する画素データが存在していた部分を、当該文字領域に属する画素データ以外であって、この文字領域に属する画素データに最も近い位置の画素データに置き換えてから画像圧縮処理を施すので、画像分離手段による分離前に文字領域の画素データが存在していた部分と、これ以外の他の部分との濃度差が小さくなる。そのため、効率の良い画像圧縮を行うことができ、ノイズ等の発生要因が無くなって画像品質が低下しない。これにより、効率の良い画像圧縮処理と、当該画像圧縮処理による画質劣化の防止とが両立される。
【００１５】
請求項２に記載の発明によれば、網点領域に対して非網点領域よりも強い平滑化処理を行うので、網点領域の画像データ量を効果的に低減させることができ、非網点領域に対しては強い平滑化処理を行わないことによって、画質を維持することができる。
【００１６】
請求項３に記載の発明によれば、文字領域の画像データに対する画像圧縮処理を可逆方式としたので、文字領域を画像圧縮した時に画質を維持することができる。
【００１７】
請求項４に記載の発明によれば、非文字領域の画像データに対する画像圧縮処理を非可逆方式としたので、非文字領域を比較的高い圧縮率で画像圧縮でき、画像データ量を効果的に低減させることができる。
【発明を実施するための最良の形態】
【００１８】
以下、本発明に係る実施形態を図面に基づいて説明する。図１は、本発明の一実施形態に係る画像処理装置を備えた複合機の内部構成を概略的に示す側面図である。本発明に係る画像処理装置は、コピー機能、プリンタ機能、スキャナ機能及びファクシミリ機能等の機能を兼ね備えた複合機１に適用される。この複合機１は、本体部２と、本体部２の左方に配設されたスタックトレイ３と、本体部２の上部に配設された原稿読取部５と、原稿読取部５の上方に配設された原稿給送部６とを有している。
【００１９】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２０】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２２】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２３】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２４】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２５】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２６】
図２は複合機１の概略構成を示す機能ブロック図である。複合機１には、装置全体の動作制御を司る制御部１００が備えられている。この制御部１００には、露光ランプ５１１及びＣＣＤ５１２等からなる原稿画像の読み取りが可能なスキャナ部５１と、用紙搬送部１３１，画像形成部１３２，転写部４１及び定着部４５等からなる記録部４０とが接続されている。また、制御部１００には、スキャナ部５１で読み取られた文書データ等が一時的に保存される半導体記憶装置等からなる画像メモリ１４０と、大量の文書データを保存可能な記憶容量を有する大容量のＨＤＤ（記憶装置）１５０とが接続されている。
【００２７】
画像処理部１６０は、スキャナ部５１による原稿読み取り時には、スキャナ部５１から出力されるアナログ画像信号をデジタル画像信号に変換し、画質を向上させる画像処理を施した後、圧縮画像に変換するものである。この圧縮画像は画像メモリ１４０に書き込まれる。また、制御部１００による制御で、画像メモリ１４０に書き込まれた圧縮画像を、文書管理の対象となるファイルデータとしてＨＤＤ１５０に格納可能とされている。記憶文書のプリントアウト時には、ＨＤＤ１５０から、プリントアウト対象のファイルデータ（圧縮画像）が読み出され、画像処理部１６０は、当該圧縮されたファイルデータを伸張処理し、出力状態に応じた画像処理を施し、例えばレーザ露光の場合には、レーザ信号にアナログ変調する。このアナログ変調された信号に基づいて記録部４０（画像形成部１３２）でプリントアウトされる。
【００２８】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００２９】
スキャナコントローラ１０１は、スキャナ部５１の動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００３０】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて1ビットずつ順次データを送るシリアル伝送で外部機器と接続するシリアルＩ／Ｆ部１８２とが接続されている。
【００３１】
ネットワークコントローラ１０５は、複合機１がネットワーク上のコンピュータに接続されている場合に、ネットワーク上のコンピュータとの間で行われるデータ送受信を制御するものである。ネットワークコントローラ１０５は、ネットワークＩ／Ｆ部２１０を介して外部とデータを送受信させる。
【００３２】
図３は、複合機１における画像処理部１６０の概略構成を示すブロック図である。画像処理部（画像処理装置）１６０は、上述したように、スキャナ部５１から受信した原稿画像のデータに対して所定の画像処理を施し、画像処理後の画像データを画像メモリ１４０に出力する。画像処理部１６０は、入力画像処理部１６１、属性判定部１６２、平滑化処理部１６３、画像分離部１６４、データ置換部１６５及び画像圧縮部１６６を備えている。
【００３３】
入力画像処理部１６１は、スキャナ部５１から入力されてくる画像データに、シェーディング補正、ＣＣＤライン間補正、色補正等の画像処理を行うものである。
【００３４】
属性判定部（画像識別手段）１６２は、スキャナ部５１から入力された画像データの各部が、網点で印刷された原稿画像を読み取った場合の画像データからなる領域（以下、網点領域という）と、網点ではない原稿画像を読み取った場合の画像データからなる領域（以下、非網点領域という）のいずれであるかを識別し、いずれの属性を有するかを判定するものである。
【００３５】
この判定は、ある領域の画像を読み取った場合の画像読取信号値が、網点領域と非網点領域のいずれの特徴を示すかに基づいて判定する。例えば、注目画素（読み取った複数画素の中で処理対象とする画素）の周辺の所定区間内における白から黒への画像信号の変化の回数等に基づいて判定するようにする。原稿上の網点印刷領域を読み取った場合、読み取った画像データのＲ，Ｇ，Ｂの各信号値のうち、例えば、Ｇ信号値は、網点領域が白地と網点とにより構成されていることから、白地を表わすＧ信号値と、網点（黒地）を表わすＧ信号値との繰り返しとなり、白画素と黒画素とが高い頻度で繰り返す特性となるので、この信号値の特性を検出したことをもって、網点領域と判定する。
【００３６】
平滑化処理部（平滑化処理手段）１６３は、平滑化フィルタ１６３１と、ガウスフィルタ１６３２とを備える。平滑化処理部１６３は、スキャナ部５１から入力された画像データに対して、ある画素の濃度にかえて、その画素を中心として一定領域の画素の濃度平均を与える平滑化処理を行うものである。ガウスフィルタ１６３２は、スキャナ部５１から入力された画像データに対して、平滑化フィルタ１６３１よりも強い平滑化効果のある空間フィルタ処理を行うものである。
【００３７】
画像分離部（画像分離手段）１６４は、スキャナ部５１から入力された画像データを、文字印刷部分を読み取った画像データからなる領域（以下、文字領域という）と、文字以外の印刷部分を読み取った画像データからなる領域（以下、非文字領域）とに分離する処理を行うものである。
【００３８】
画像分離部１６４は、ある領域の画像を読み取った場合の画像読取信号値が、文字領域と非文字領域のいずれの特徴を示すかに基づいて、当該領域が文字領域又は非文字領域のいずれであるかを判定して分離する。例えば、白地に黒い文字が印刷されている領域を読み取った場合、読み取った画像データのＲ，Ｇ，Ｂの各信号値のうち、文字領域に関するＧ信号値のプロットは、白地部から文字部にかけて急激に変化する特性となる。しかも、網点領域の読取時ほどの頻度では白画素と黒画素とは繰り返さない特性を有する。このような信号値の特性を検出したことをもって文字領域と判定し、画像データを文字領域と非文字領域とに分離する。
【００３９】
データ置換部（データ置換手段）１６５は、画像分離部１６４によって分離された非文字領域の画像データについて、文字領域に属する画素データ（すなわち、文字を構成していた画素のデータ）が存在していた部分を、当該文字領域に属する画素データ以外であって、この文字領域に属する画素データに最も近い位置の画素データに置き換えるものである。この画素データ置換処理は、例えば、(1)非文字領域の画像データにおける、それまで文字領域に属する画素データが存在していた部分を、スキャナ部５１の主走査方向において当該部分以外の直前又は直後の画素データに置換する（すなわち、それまで文字を構成していた全ての画素のデータを、文字を構成しない他部分の画素のデータに置換する）、(2)非文字領域の画像データにおける、それまで文字領域に属する画素データが存在していた部分を、スキャナ部５１の副走査方向において当該部分以外の直前又は直後の画素データに置換する、(3)非文字領域の画像データにおける、それまで文字領域に属する画素データが存在していた部分を、この部分に対して斜め方向に配列されている当該部分以外の直前又は直後の画素データに置換する、等のようにして行われる。
【００４０】
画像圧縮部（画像圧縮手段）１６６は、スキャナ部５１から入力された画像データに対して、圧縮処理を行うものであり、可逆圧縮部１６６１及び非可逆圧縮部１６６２を備えている。可逆圧縮部１６６１は、圧縮されたデータを展開したときに完全にデータが元に戻る方式で画像圧縮を行うものである。非可逆圧縮部１６６２は、圧縮されたデータを伸長したとき、完全に元に戻らない方式で画像圧縮を行うものである。画像圧縮処理を行う際に、圧縮率よりも画質を優先する場合は可逆圧縮部１６６１による圧縮処理が行われ、画質よりも圧縮率を優先する場合は非可逆圧縮部１６６２による圧縮処理が行われる。
【００４１】
スキャナ部５１によって原稿画像が読み取られた場合における画像処理部１６０による画像処理の例を、上記図３に加えて図４及び図５を用いて説明する。図４は文字画像、写真画像及び網点画像が印刷された原稿の例を示す図、図５は非文字領域の画像から文字画像部分の画像が切り出された状態を仮想的に示す図である。
【００４２】
スキャナ部５１によって原稿上の画像が読み取られると、まず、この画像のデータは入力画像処理部１６１に送られ、画像データ全体に対して、入力画像処理部１６１によって、シェーディング補正、ＣＣＤライン間補正、色補正等の画像処理が行われる。入力画像処理部１６１での画像処理が終了した画像データは、その各部が、属性判定部１６２において、網点領域又は非網点領域に識別され、いずれの属性となるかが判定される。例えば、図４に示すように、原稿３００の画像が、文字領域３０１、銀塩写真領域３０２、網点領域３０３及び下地領域３０４からなる場合、網点領域３０３のみが網点領域と判定され、それ以外の文字領域３０１、銀塩写真領域３０２及び下地領域３０４は全て非網点領域と判定される。
【００４３】
そして、属性判定部１６２で非網点領域と判定された領域は、平滑化処理部１６３において、平滑化フィルタ１６３１によって平滑化処理が行われる。また、網点領域と判定された領域は、ガウスフィルタ１６３２によって、平滑化フィルタ１６３１よりも強い平滑化処理が行われる。この平滑化処理は、雑音除去の目的の他、画像データ量の低減を目的として行われる。
【００４４】
上記平滑化処理後、画像データは、画像分離部１６４において、文字領域又は非文字領域に分離される。例えば、図４に示す原稿３００において、文字領域３０１のみが文字領域とされ、それ以外の銀塩写真領域３０２、網点領域３０３及び下地領域３０４は全て非文字領域とされる。ここで、文字領域の画像データは、文字画像の輪郭を正確に再現するため等の目的から、圧縮率よりも画質を重視して、画像圧縮部１６６の可逆圧縮部１６６１で圧縮処理が行われる。
【００４５】
また、非文字領域の画像データに対しては、データ置換部１６５において、上述したデータ置換処理（文字領域に属する画素データ（すなわち、文字を構成していた画素のデータ）が存在していた部分を、当該文字領域に属する画素データ以外であって、この文字領域に属する画素データに最も近い位置の画素データに置き換える処理）が行われる。例えば、上述した(1)の処理を行う場合は、図５に示すように、文字画像「あ」の部分ａにあたる画素データを、そのスキャナ部５１による走査方向における直前部分ｂにあたる画素データ、又はその直後部分ｃにあたる画素データに置換する。すなわち、非文字領域の画像データを構成する画素データのうち、当該文字画像「あ」の部分ａにあたる画素データを切り出して除去し、この切り出した部分ａに、その直前部分ｂにあたる画素データ、又はその直後部分ｃにあたる画素データを埋め込む。
【００４６】
上記データ置換部１６５でデータ置換処理がされた非文字領域の画像データは、文字画像ほど正確な再現性は求められないため、画質よりも圧縮率を重視して、画像圧縮部１６６の非可逆圧縮部１６６２で圧縮処理が行われる。画像圧縮部１６６で圧縮処理がされた後の文字領域及び非文字領域の画像データは、画像メモリ１４０に記憶される。
【００４７】
なお、本発明は上記実施の形態の構成に限られず種々の変形が可能である。例えば、上記実施形態では、本発明に係る画像処理装置を複合機１に適用する実施形態を示しているが、ファクシミリ装置、コピー機等の単体機に適用することも可能である。
【００４８】
また、本発明は、上記実施形態の機能を実現するソフトウェアのプログラムを記録した記録媒体を供給し、コンピュータ（ＣＰＵ等）が記録媒体に記録されたプログラムを読み出して上述した実施形態の機能を実行することによって達成されるようにしてもよい。また、コンピュータが読み出したプログラムを実行することにより、前述した実施形態の機能を実現する場合に限らず、そのプログラムに基づき、コンピュータ上で稼働しているオペレーティングシステム等が実際の処理の一部又は全部を行い、上述した実施形態の機能が実現される場合も含む。
【００４９】
また、上記実施形態では、本発明に係る画像処理装置と、これが適用される複合機１の構成及び処理を図１乃至図５を用いて示したが、これらの構成及び処理はあくまでも一例であり、上記に限定されるものではない。
【図面の簡単な説明】
【００５０】
【図１】本発明の一実施形態に係る画像処理装置を備えた複合機の内部構成を概略的に示す側面図である。
【図２】図１に示した複合機の概略構成を示す機能ブロック図である。
【図３】複合機における画像処理部の概略構成を示すブロック図である。
【図４】文字画像、写真画像及び網点画像が印刷された原稿の例を示す図である。
【図５】非文字領域の画像から文字画像部分の画像が切り出された状態を仮想的に示す図である。
【符号の説明】
【００５１】
１        複合機
５１      スキャナ部
１６０    画像処理部
１６１    入力画像処理部
１６２    属性判定部
１６３    平滑化処理部
１６３１  平滑化フィルタ
１６３２  ガウスフィルタ
１６４    画像分離部
１６５    データ置換部
１６６    画像圧縮部
１６６１  可逆圧縮部
１６６２  非可逆圧縮部
３００    原稿
３０１    文字領域
３０２    銀塩写真領域
３０３    網点領域
３０４    下地領域
【図１】
2006019957.tif 000003
【図２】
2006019957.tif 000004
【図３】
2006019957.tif 000005
【図４】
2006019957.tif 000006
【図５】
2006019957.tif 000007